(57)【要約】  携帯装置が携帯装置に関連づけられた口座からの支払取引を許可する。この携帯装置は、商人の取引システム又は他の受信エンティティと通信を行う近距離場通信（ＮＦＣ）システムのような通信システムと、ユーザインタフェースと、複数の口座のうちのそれぞれの口座に関連する口座情報を記憶するメモリと、取引用アプリケーションとを備える。取引用アプリケーションは、少なくとも１つの所定の選択ルールを複数の口座に対して適用して、複数の口座のうちの選択されたサブセットの口座を決定する。ユーザインタフェースのディスプレイは取引用アプリケーションの制御の下で、複数の取引オプションを表示する。個々の取引用オプションインジケータは、テキスト又はグラフィックであってもよく、選択されたサブセットの口座の範囲内の口座のうちの１つの口座を表す。取引用アプリケーションは、取引用オプションインジケータのうちの１つのインジケータを選択するユーザの選択についてプロンプトで指示を促す。
2010505192.tif 000002
【特許請求の範囲】
【請求項１】
自装置に関連づけられた口座から取引を行うための携帯装置であって、
受信エンティティの取引システムと通信を行う通信システムと、
ユーザインタフェースと、
複数の口座の個々の口座に関連するアカウント情報を記憶するメモリと、
取引用アプリケーションであって、
前記複数の口座のうちの選択されたサブセットの口座を決定するために、少なくとも１つの所定の選択ルールを前記複数の口座に対して適用し、
各インジケータが前記複数の口座のうちの前記選択されたサブセットのうちの１つの口座を表すような複数の取引用オプションインジケータを表示し、
前記複数の取引用オプションインジケータのうち少なくとも１つの取引用オプションインジケータに対するユーザ選択を取得し、
前記受信エンティティの前記取引システムとデータを交換して、前記複数の取引用オプションインジケータのうち選択された前記少なくとも１つの取引用オプションインジケータに関連づけられた取引口座を利用して、前記受信エンティティとの取引を開始するために、前記通信システムを動作させる、
取引用アプリケーションと
を備えることを特徴とする携帯装置。
【請求項２】
前記取引用アプリケーションは、前記受信エンティティによって承認された複数の取引決済オプションの各オプションの指示を前記受信エンティティの前記取引システムから受信し、
前記少なくとも１つの所定の選択ルールは、前記複数の口座のうちの選択されたサブセットの口座を、前記受信エンティティによって承認された取引決済オプションに対応する口座のみに限定することを含む
ことを特徴とする請求項１に記載の携帯装置。
【請求項３】
前記取引用アプリケーションは前記取引の決済要件の指示を受信し、
前記少なくとも１つの所定の選択ルールは、前記取引の決済要件を満たす支払口座のみを、前記複数の口座のうちの前記選択されたサブセットの口座の中に包含させることを含む
ことを特徴とする請求項２に記載の携帯装置。
【請求項４】
前記取引を決済要件は未支払いの支払金額の指示を含み、
前記複数の口座は支払口座を含み、
前記少なくとも１つの所定の選択ルールは、前記未払いの支払金額を上回る利用可能なクレジットを有する支払口座のみを前記複数の口座のうち前記選択されたサブセットの口座の中に包含させることを含む
ことを特徴とする請求項３に記載の携帯装置。
【請求項５】
前記少なくとも１つの所定の選択ルールは、前記複数の口座のうちの選択されたサブセットの口座を、取引管理データベース内の、前記受信エンティティに関連づけられた口座のみに限定することを含むことを特徴とする請求項２に記載の携帯装置。
【請求項６】
前記取引用アプリケーションは、前記複数の取引用オプションインジケータを優先順位に従ってさらに表示し、該優先順位は、前記取引用アプリケーションが前記複数の口座のうちの前記選択されたサブセットの口座に対して少なくとも１つの所定のソートルールを適用することで決定される、ことを特徴とする請求項２に記載の携帯装置。
【請求項７】
前記所定のソートルールは、前記取引用オプションインジケータの前記優先順位を、前記受信エンティティと、前記取引管理データベース内の前記口座との間の関連付けに基づいて機能させるルールであることを特徴とする請求項６に記載の携帯装置。
【請求項８】
前記受信エンティティと、前記取引管理データベース内の前記口座との間の前記関連付けは、前記携帯機器の取引活動の追跡によって得られるスコア値であることを特徴とする請求項６に記載の携帯装置。
【請求項９】
前記携帯装置は折り畳み構成の移動電話機であり、前記ユーザインタフェースは、
前記移動電話機が閉じた構成にあるとき、筐体の外側に設けられたユーザの目に見える外部ディスプレイと、
前記移動電話機が前記閉じた構成にあるとき、ユーザにより操作可能な前記筐体の外側にある複数のユーザインタフェース制御装置と、を備え、
前記複数の取引用オプションインジケータの表示では、前記取引用アプリケーションが、
スクロール機能を動作させて、前記取引用オプションインジケータの各インジケータを順次表示するように前記外部ディスプレイを駆動すべく、前記ユーザインタフェース制御装置を駆動させ、
選択機能を動作させて、前記取引用オプションインジケータのうちの少なくとも１つのインジケータに対するユーザ選択を取得するために、前記ユーザインタフェース制御装置を駆動させる
ことを特徴とする請求項１に記載の携帯装置。
【請求項１０】
ｉ）限定的な電力状態からアクティブ状態への前記携帯装置の移行を制御し、
ｉｉ）前記通信システムが受信エンティティの取引システムから信号を受信すると、前記取引用アプリケーションを始動する
電力管理回路をさらに含むことを特徴とする請求項９に記載の携帯装置。
【請求項１１】
前記取引用アプリケーションは、前記受信エンティティによって承認された複数の取引決済オプションの各オプションの指示を前記受信エンティティの取引システムから受信し、
前記少なくとも１つの所定の選択ルールは、前記複数の口座のうちの前記選択されたサブセットの口座を、前記受信エンティティによって承認された取引決済オプションに対応する口座に限定することを含む
ことを特徴とする請求項１０に記載の携帯装置。
【請求項１２】
前記取引用アプリケーションは前記取引の決済要件の指示を受信し、
前記少なくとも１つの所定の選択ルールは、前記取引の決済要件を満たす支払口座のみを、前記複数の口座のうちの前記選択されたサブセットの口座の中に包含させることを含む
ことを特徴とする請求項１１に記載の携帯装置。
【請求項１３】
前記取引の決済要件は未払いの支払金額の指示を含み、
前記複数の口座は支払口座を含み、
前記少なくとも１つの所定の選択ルールは、前記未払いの支払金額を上回る利用可能なクレジットを有する支払口座のみを、前記複数の口座のうちの前記選択されたサブセットの口座の中に包含させることを含む
ことを特徴とする請求項１２に記載の携帯装置。
【請求項１４】
前記少なくとも１つの所定の選択ルールは、前記複数の口座のうちの前記選択されたサブセットの口座を、取引管理用データベース内の前記受信エンティティに関連づけられる口座のみに限定することを含むことを特徴とする請求項１１に記載の携帯装置。
【請求項１５】
前記取引用アプリケーションは前記複数の取引用オプションインジケータを優先順位に従ってさらに表示し、該優先順位は、前記取引用アプリケーションが前記複数の口座のうちの前記選択されたサブセットの口座に対して少なくとも１つの所定のソートルールを適用することで決定されることを特徴とする請求項１１に記載の携帯装置。
【請求項１６】
前記所定のソートルールは、前記受信エンティティと、前記取引管理用データベース内の前記取引口座との間の関連付けに基づいて、前記取引用オプションインジケータの前記優先順位を機能させるルールであることを特徴とする請求項１５に記載の携帯装置。
【請求項１７】
前記受信エンティティと、前記取引管理用データベース内の前記支払口座との間の前記関連付けは、前記携帯装置の取引活動を追跡することによって取得されるスコア値であることを特徴とする請求項１５に記載の携帯装置。
【請求項１８】
前記複数のユーザインタフェース制御装置は、
前記移動電話機が前記閉じた構成にあるとき、ユーザによって操作可能な前記筐体の外側に設けられた少なくとも３つのボタンを備え、
前記スクロール機能を動作させて、前記取引用オプションインジケータの各インジケータを順次表示するように前記外部ディスプレイを駆動すべく行われる、前記ユーザインタフェース制御装置の駆動には、前記少なくとも３つのボタンのうちの第１及び第２のボタンを駆動することが含まれ、
前記選択機能を動作させて、前記取引用オプションインジケータのうち少なくとも１つのインジケータに対するユーザ選択を取得するために行われる、前記ユーザインタフェース制御装置の駆動には、前記少なくとも３つのボタンのうちの第３のボタンを駆動することが含まれる
ことを特徴とする請求項９に記載の携帯装置。
【請求項１９】
前記少なくとも３つのスイッチのうちの前記第１と前記第２のスイッチは対のボタンであることを特徴とする請求項１８に記載の携帯装置。
【請求項２０】
前記複数のユーザインタフェース制御装置は、前記移動電話機が前記閉じた構成にあるとき、ユーザにより操作可能な前記筐体の外側に設けられたサムホイールを備え、
前記スクロール機能を動作させて、前記取引用オプションインジケータの各インジケータを順次表示するように前記外部ディスプレイを駆動すべく行われる、前記ユーザインタフェース制御装置の駆動には、サムホイールの回転によって該サムホイールを駆動することが含まれ、
前記選択機能を動作させて、前記取引用オプションインジケータのうち少なくとも１つのインジケータに対するユーザ選択を取得するために行われる、前記ユーザインタフェース制御装置の駆動には、サムホイールの押下によって該サムホイールを駆動することが含まれる
ことを特徴とする請求項９に記載の携帯装置。
【請求項２１】
前記携帯装置は移動電話機であり、かつ、前記ユーザインタフェースは、
筐体の外側に設けられた外部ディスプレイと、
前記筐体の外側に設けられたタッチパネル領域と、を備え、
前記複数の取引用オプションインジケータの表示では、前記取引用アプリケーションが、
スクロール機能を動作させて、前記取引用オプションインジケータの各インジケータを順次表示するように前記外部ディスプレイを駆動すべく、前記タッチパネル領域の一部を駆動させ、
選択機能を動作させて、前記取引用オプションインジケータのうち少なくとも１つのインジケータに対するユーザ選択を取得するために、前記タッチパネル領域の一部を駆動する
ことを特徴とする請求項１に記載の携帯装置。
【請求項２２】
口座から取引を行うための携帯装置を動作させる方法であって、
複数の口座の個々の口座に関連する口座情報を記憶する口座データベースを維持するステップと、
前記複数の口座のうちの選択されたサブセットの口座を決定するために、少なくとも１つの所定の選択ルールを前記複数の口座に対して適用するステップと、
各インジケータが前記複数の口座のうちの選択されたサブセットの口座のうちの１つの口座を表すような複数の取引用オプションインジケータを表示するステップと、
前記複数の取引用オプションインジケータのうち少なくとも１つの取引用オプションインジケータに対するユーザ選択を取得するステップと、
受信エンティティの取引システムへの通信信号を生成するステップであって、該通信信号は、選択された前記少なくとも１つの取引用オプションインジケータについての前記口座情報を含む、ステップと、
を有することを特徴とする方法。
【請求項２３】
前記受信エンティティによって承認された複数の取引決済オプションの各オプションの指示を前記受信エンティティの前記取引システムから受信するステップをさらに有し、
前記少なくとも１つの所定の選択ルールは、前記複数の口座のうちの前記選択されたサブセットの口座を、前記受信エンティティによって承認された取引決済オプションに対応する口座のみに限定することを含む
ことを特徴とする請求項２２に記載の方法。
【請求項２４】
前記取引の決済要件の指示を前記受信エンティティの取引システムから受信するステップをさらに備え、
前記少なくとも１つの所定の選択ルールは、前記取引の決済要件を満たす支払口座のみを、前記複数の口座のうちの前記選択されたサブセットの口座の中に包含させることを含む
ことを特徴とする請求項２３に記載の方法。
【請求項２５】
前記取引の決済要件は未払いの支払金額の指示を含み、
前記複数の口座は支払口座を含み、
前記少なくとも１つの所定の選択ルールは、前記未払いの支払金額を上回る利用可能なクレジットを有する支払口座のみを、前記複数の口座のうちの前記選択されたサブセットの口座の中に包含させることを含む
ことを特徴とする請求項２４に記載の方法。
【請求項２６】
前記少なくとも１つの所定の選択ルールは、前記複数の口座のうちの前記選択されたサブセットの口座を、取引管理用データベース内の、前記受信エンティティに関連づけられる口座のみに限定することを含むことを特徴とする請求項２３に記載の方法。
【請求項２７】
前記複数の取引用オプションインジケータを優先順位に従って表示するステップをさらに備え、該優先順位は、前記複数の口座のうちの前記選択されたサブセットの口座に対して少なくとも１つの所定のソートルールを適用することによって決定されることを特徴とする請求項２３に記載の方法。
【請求項２８】
前記少なくとも１つの所定のソートルールは、取引管理用データベースにおける、前記受信エンティティと前記支払口座間の関連付けに基づいて前記取引用オプションインジケータの前記優先順位を機能させるルールであることを特徴とする請求項２７に記載の方法。
【請求項２９】
前記受信エンティティと、前記取引管理用データベース内の前記支払口座との間での前記関連付けは、前記携帯装置の支払活動を追跡することによって取得されるスコア値であることを特徴とする請求項２７に記載の方法。
【発明の詳細な説明】
【技術分野】
【０００１】
本発明は、商人の取引システム又は他の受信エンティティと取引を行うために携帯装置を用いるシステム及び方法に関し、特に、ユーザが選択する複数の取引オプションを提示するシステム及び方法に関する。
【背景技術】
【０００２】
商人の販売システムポイントにおける商品又はサービスの支払には、通常、顧客による現金払い、小切手の振出し、又は、クレジットカード又はチャージカードの「署名」取引又は、従来の当座預金口座のデビット、あるいは、日本で非常にポピュラーになっているエディ移動支払サービスのようなプリペイド支出口座（pre-paid spending account）のデビットのようなデビット取引形式などの電子支払取引の或る形式が含まれている。
【０００３】
従来、何らかの電子支払取引形式による支払を所望する顧客は取引口座を表すカードを商人に対して提示していた。このカードは、電子支払取引を開始するために必要な口座情報を提供すると共に、顧客管理におけるカードの物理的存在によって、顧客が口座での支払取引を開始することが許可されていることを示す或る状況証拠になるという点で或る種のセキュリティが提供されることになる。場合によっては、許可を示す別の証拠として個人識別番号（ピン）が求められる。
【０００４】
さらに、顧客が、提携関係、会員資格、又は別の種類のディスカウント、ポイント又は同様のプログラムと取引を関連づけることを望む場合、顧客は従来、適用できる口座情報をカードの形で商人に対して提示し、このカードによって、顧客がこのような口座を利用する許可を受けていることを示す或る状況証拠が再び提供された。通常このカードの形での提供は支払取引の開始前に行われる。
【０００５】
さらに、顧客が取引に対してクーポンの利用を希望する場合、顧客は従来紙のクーポン券を商人へ提供し、次いで、商人は未払金額を調整するためにクーポン取引を開始した。クーポン取引は通常支払取引よりも前に開始される。
【０００６】
さらに近年、複数の取引口座のそれぞれの口座に関連する口座情報を記憶する「電子財布」として移動電話機、ＰＤＡ又は他の携帯電子装置のような携帯装置を機能できるようにすることが提案されている。
【０００７】
口座情報が電子財布用アプリケーションによって記憶され、管理されている取引口座から電子支払を行うために、装置のユーザは電子財布用アプリケーションを開始し、電子財布用アプリケーションによって管理されている複数の取引口座の中から取引口座を選択し、支払を許可する。次いで、電子財布用アプリケーションは取引関連情報を商人から受信し、次いで、取引の完了に必要な口座関連情報を商人へ提供する。種々の方法で上記情報の交換を行うことが可能であるが、近距離場通信（ＮＦＣ）技術は、セキュリティの点で安全な取引情報の非接触型交換用として利用できる技術の１例である。
【０００８】
移動体通信装置を利用する電子支払がさらに一般的に行われるようになるにつれて、個人が複数のクレジット、デビット、ＡＴＭ、又は別のカードを自分の物理的財布の中に現在携帯しているように、複数の支払手段を自分の電子財布の中に持つようになることが予想される。移動電話機、ＰＤＡ等のような携帯装置の（限られたキーボード、限られた表示サイズ、並びに、ディスプレイの限られた解像度などの）限られたユーザインタフェースを用いて、複数の階層化されたメニューをナビゲートする際の予想される難点としてユーザービリティに対する挑戦すべき課題が生じるという点が挙げられる。この挑戦すべき課題に起因して移動電子支払の消費者による採用及び利用が抑制されることも考えられる。電子クーポンと、提携関係、会員資格又は別の種類のディスカウント、ポイント又は同様のプログラム口座のうちの少なくともいずれかのような追加の取引オプションが携帯装置に追加されるとき、このユーザービリティに対する挑戦すべき課題はさらに悪化するものとなることが予想される。
【０００９】
ここで必要とされるものは、移動電話機、ＰＤＡ、又は同様の移動体通信装置のような携帯装置を公知のシステムの欠点を被らないように動作させるシステム及び方法である。さらに詳細には、ここで必要とされるものは、複数の取引オプションを携帯装置において提示すると共に、１以上のマルチ取引オプションのユーザによる選択を、簡単に、かつ、使い勝手よく容易に行うためのシステム及び方法である。
【発明の概要】
【００１０】
本発明の第１の側面は、携帯装置に関連づけられた口座から取引を行うための携帯装置を有する。携帯装置は、ユーザインタフェースと、複数の口座のそれぞれの口座に関連する口座情報を記憶するメモリと、取引用アプリケーションと、電力管理回路とを備える。携帯装置は、商人又は他の受信エンティティの取引システムと通信を行うための近距離場通信（ＮＦＣ）システムのような通信システムをさらに備える。
【００１１】
個々の口座は以下のうちの１つの口座であってもよい。ｉ）クレジット又はチャージカードによる「署名」取引口座のような支払口座又は当座預金口座又はエディのようなデビット口座。ｉｉ）ＰａｙＰａｌ（登録商標）のような別の支払取引口座。ｉｉｉ）提携関係、会員資格、又は別の種類のディスカウント、ポイント又は同様のプログラムを表すプログラム口座。ｉｖ）電子クーポン。
【００１２】
取引用アプリケーションは少なくとも１つの所定の選択ルールを複数の口座に対して適用して、複数の口座のうちの選択されたサブセットの口座を決定する。ユーザインタフェースのディスプレイは、取引用アプリケーションの制御の下で複数の取引用オプションインジケータを表示する。テキスト又はグラフィックであってもよい個々の取引用オプションインジケータは選択されたサブセットの口座の範囲内の１つの口座を表す。
【００１３】
取引用アプリケーションは、取引用オプションインジケータのうちの選択された１つのインジケータ（又は少なくとも１つのインジケータ）のユーザによる選択についてプロンプトで指示を促す。一連の取引用オプションインジケータ上にわたって強調表示バーをスクロールするために携帯装置の筐体の外側に設けられた第１及び第２のボタンを用いて、及び、取引用オプションインジケータのうちの１つを選択するために筐体上に設けられた第３のボタンを用いてユーザによる選択を行うことが可能である。第１及び第２のボタンは音量ボタンのような一対のキーであってもよい。第３のボタンは写真又はカメラ用ボタンのような追加のキーであってもよい。
【００１４】
上記とは別に、ユーザによる選択は、（音量調節用サムホイールのような）携帯装置の筐体の外側に設けられたサムホイールを用いて、サムホイールの回転によって一連の取引用オプションインジケータを介して強調表示バーをスクロールすることができる。本実施形態では、取引用オプションインジケータのうちの１つのインジケータの選択は、筐体に設けられた第３のボタンを用いて、又は、サムホイール自体の押下によって行うことができる。
【００１５】
別の代替例として、ユーザによる選択は、一連の取引用オプションインジケータを介して強調表示バーをスクロールするために、（ポピュラーなＭＰ３プレイヤ上に見られるタッチ領域と同様の音量調節領域のような）携帯装置の筐体の外側に設けられたタッチパネル領域の一部を用いて行うことが可能であると共に、取引用オプションインジケータのうちの１つのインジケータを選択するために（タッチパネル領域の中心部分のような）タッチパネル領域の一部を用いて行うことが可能である。
【００１６】
取引用アプリケーションは、口座情報を受信する商人の取引システム又は他のエンティティへ口座情報を提供する通信システムを駆動する。電子クーポンを表す口座を表す選択済みの取引用オプションインジケータの場合、口座情報を取引システムへ提供する処理には、商人の取引システム（又は他の受信エンティティ）に必要な電子クーポン情報を提供して、購入用電子クーポンを利用する処理が含まれる。
【００１７】
提携関係、会員資格、あるいは、別の種類のディスカウント、会員資格、ポイント又は同様のプログラム口座を表す選択済みの取引用オプションインジケータの場合、取引システムへ口座情報を提供する処理には、商人の取引システム（又は他の受信エンティティ）に必要な上記情報を提供して、購入をこのような提携関係、会員資格、又は別の種類のディスカウント、会員資格、ポイントあるいは同様のプログラム口座と関連づける処理が含まれる。
【００１８】
支払口座（クレジット、デビット、ＡＴＭ、エディ、又はＰａｙＰａｌ（登録商標））のような別の支払口座を表す選択済みの取引用オプションインジケータの場合、商人の取引システム（又は他の受信エンティティ）へ口座情報を提供する処理には、商人がこのような支払口座を用いて支払取引を処理するために必要なこのような情報を提供する処理が含まれる。
【００１９】
携帯装置は折り畳み構成の移動電話機であってもよい。このような実施形態において、取引用アプリケーションは、一連の取引用オプションインジケータの各インジケータをスクロールして、外部ディスプレイの中へ入れるステップを有する。このディスプレイは、一般に任意の特定の時刻における単一の取引用オプションインジケータ表示のみを適合させることができるサイズ及び解像度を有するディスプレイとなる。本実施形態では、筐体が閉じた構成にあるとき、上述したユーザインタフェース制御オプションは筐体の外部部分に処理用として構成される。
【００２０】
電力管理回路は、低出力状態からアクティブな状態への携帯装置の移行を制御すると共に、通信システムが商人の取引システム又は他の受信エンティティから信号を受信する際に、取引用アプリケーションを開始することができる。このような機能によって、折り畳み式の筐体を開いたり、所定のボタン又はキーの押下を行ったりするような手段によって、ユーザはアクティブな状態への移行を開始する必要なく携帯装置の利用が可能となる。
【００２１】
１つの従属的な実施形態では、取引用アプリケーションは、商人の取引システム又は他の受信エンティティによって承認された複数の取引決済オプションの個々の指示を受信することが可能となる。このような従属的な実施形態では、上記少なくとも１つの所定の選択ルールは、複数の口座のうちの選択されたサブセットの口座を、商人の取引システムにより承認されたタイプの口座のみに限定することを含む。
【００２２】
別の従属的な実施形態では、取引用アプリケーションは商人の取引システム又は他の受信エンティティから支払金額の指示を受信することができる。このような従属的な実施形態では、少なくとも１つの所定の選択ルールは、支払口座に関して、複数の口座のうちの選択されたサブセットの口座を、未払いの支払金額を上回る利用可能なクレジットを有する口座のみに限定することを含む。
【００２３】
さらに別の従属的な実施形態では、上記少なくとも１つの所定の選択ルールは、取引が行われる相手側商人（又は他の受信エンティティ）に関連づけられた口座、あるいは、取引が行われる相手側商人（又は他の受信エンティティ）を取引管理用データベース内に含むエンティティクラスに関連づけられた口座のみに、複数の口座のうちの選択されたサブセットの口座を限定することを含む。商人との口座の関連付けはユーザが構成したものであってもよい。
【００２４】
さらに別の従属的な実施形態では、取引用アプリケーションは複数の取引用オプションインジケータを優先順にさらに表示することができる。この優先順位は、複数の口座のうちの選択されたサブセットの口座に対して少なくとも１つの所定のソートルールを適用することによって取引用アプリケーションにより決定することができる。
【００２５】
少なくとも１つの所定のソートルールは、取引が行われる相手側商人（又は他の受信エンティティ）と、取引管理用データベース内の口座との間での関連付け（又は取引が行われる相手側商人（又は他の受信エンティティ）を含むエンティティクラスとの関連付けに基づいて取引用オプションインジケータの優先順位を機能させるソートルールであってもよい。この場合も、関連付けはユーザにより構成されたものであってもよい。上記とは別に、商人又は商人のクラス（又は他の受信エンティティのクラス）との口座の利用履歴に基づいて、取引用アプリケーションにより関連付けを決定することも可能である。さらに詳細には、取引管理用データベースは、携帯装置の取引活動を追跡することにより取得されるスコア値を含むものであってもよく、このスコア値によって関連付けを決定するようにしてもよい。
【００２６】
本発明の第２の側面は携帯装置に関連づけられた口座から取引を行うために携帯装置を作動させる方法を有する。本方法は以下のステップを有するものとする。ｉ）複数の口座のそれぞれに関連する口座情報を記憶する口座データベースを維持するステップ。ｉｉ）少なくとも１つの所定の選択ルールを複数の口座に対して適用して、複数の口座のうちの選択されたサブセットの口座を決定するステップ。ｉｉｉ）複数の取引用オプションインジケータを表示し、該複数の取引用オプションインジケータの各インジケータが上記複数の口座のうちの１つのサブセットの口座を表すステップ。ｉｖ）取引用オプションインジケータのうちの選択された１つの（又は少なくとも１つの）インジケータをユーザが選択するステップ。ｖ）商人の取引システム又は取引情報を受信する他のエンティティへの通信信号を生成するステップ。上記通信信号には取引用オプションインジケータのうちの選択された１つのインジケータについての口座情報が含まれている。
【００２７】
本発明の第１の側面に関連して上述したユーザインタフェースを用いてユーザによる選択を行うことができる。
【００２８】
この場合もまた、１つの従属的な実施形態では、携帯装置は、商人の取引システム又は他の受信エンティティによって承認された複数の取引決済オプションの各々の指示を、このような商人の取引システム又は他の受信エンティティから受信することができる。このような従属的な実施形態では、少なくとも１つの所定の選択ルールは、取引を行う相手側商人の取引システム又は他の受信エンティティによって承認された取引決済オプションに対応する口座のみに、複数の口座のうちの選択されたサブセットの口座を限定することを含む。
【００２９】
この場合もまた、携帯装置は商人又は他の受信エンティティの取引システムから未払い金額の指示を受信することができる。このような従属的な実施形態では、上記少なくとも１つの所定の選択ルールは、支払口座に関して、支払金額を上回る利用可能なクレジットを有する口座のみに、複数の口座のうちの選択されたサブセットの口座を限定することを含む。
【００３０】
この場合もまた、少なくとも１つの所定の選択ルールは、複数の口座のうちの選択されたサブセットの口座を、取引管理用データベース内の商人（又は他の受信エンティティ）に関連づけられる口座のみに限定することを含む。商人（又は他の受信エンティティ）との口座の関連付けは、口座と商人（又は他の受信エンティティ）又はエンティティクラスとの間でのユーザによる関連付けの構成であってもよい。
【００３１】
この場合もまた、少なくとも１つの所定のソートルールを複数の口座のうちの選択されたサブセットの口座に対して適用して、優先順位を決定することができる。複数の取引用オプションインジケータの表示は優先順位で示すことができる。
【００３２】
上記少なくとも１つの所定のソートルールは、取引が行われる相手側商人（又は他の受信エンティティ）と、取引管理用データベース内の口座との間での関連付け（又は取引が行われる相手側商人（又は他の受信エンティティ）を含むエンティティクラスとの関連付けに基づいて、取引用オプションインジケータの優先順位を駆動するソートルールであってもよい。この場合もまた、上記関連付けは、商人（又は他の受信エンティティ）又は商人（又は他の受信エンティティ）を含むエンティティクラスとの口座の利用履歴に基づいて取引用アプリケーションにより決定されるユーザによる構成又は関連付けであってもよい。
【００３３】
次いで、上述の目的及び関連する目的を達成するために、本発明は、本明細書で以下十分に説明する特徴と、特に請求項において指摘される特徴とを有するものである。以下の説明と付属図面とによって、本発明の或る例示の実施形態について詳細に説明する。これらの実施形態は本発明の原理を用い得る種々の方法のうちのほんのいくつかの方法を示すものにすぎない。本発明の別の目的、効果及び新規の特徴は、図面と共に考察されるとき以下の発明の詳細な説明から明らかになる。
【００３４】
本明細書で使用される場合、「備える／備えている（comprises／comprising）」という用語は、言及された特徴、整数、ステップ又は構成の存在を特定するために用いられるが、これら以外の特徴、整数、ステップ、構成、又はこれらのグループの存在又は追加を排除するものではない、という点に留意されたい。
【図面の簡単な説明】
【００３５】
【図１】本発明の１つの実施形態による取引を行うために携帯装置を利用するシステム用のアーキテクチャ例を表す線図である。
【図２ａ】本発明の１つの実施形態によるアクティブな選択ルールを構成するための例示の制御装置である。
【図２ｂ】本発明の１つの実施形態によるアクティブなソートルールを構成するための例示の制御装置である。
【図３】本発明の１つの実施形態による例示の取引管理用データベースを表す線図である。
【図４】本発明の１つの実施形態による取引を行うために携帯装置を利用するシステム及び方法の処理例を表すはしご図である。
【図５】本発明の１つの実施形態による少なくとも１つの選択ルール及び少なくとも１つのソートルールのアプリケーション例を表す線図である。
【図６】本発明の１実施形態による折り畳み式の筐体を含む移動通信装置において実現される携帯装置である。
【発明を実施するための形態】
【００３６】
本願明細書に記載されている場合「電子機器」という用語は携帯用の無線通信機器を含むものとする。「携帯用無線通信機器」という用語は、本明細書では、移動電話機、ページャ、電子手帳、パーソナル・デジタル・アシスタント（ＰＤＡ）、スマートフォン等のコミュニケータのようなすべての機器を含む「移動無線端末」又は「携帯装置」も意味するものとする。
【００３７】
本明細書で上述したエレメントの多くは、それらの呼称が「システム」、「モジュール」、「回路」あるいは同様の呼称の如何に関らず、（単複の）ハードウェア回路、ソフトウェアコードを実行するプロセッサの形で実装するか、コードを実行するハードウェア回路とプロセッサとを組み合わせた形で実装することが可能である。したがって、本明細書を通じて用いられているような回路という用語は、（個別のエレメント又は一体化された回路ブロックの如何に関らず）ハードウェア回路、コードを実行するプロセッサ、コードを実行するハードウェア回路とプロセッサとの組み合わせ、並びに、当業者には公知の上記のその他の組み合わせの包含を意図する用語である。
【００３８】
図面において、参照番号が付された個々のエレメントは、参照番号に後続するいずれの文字指定とも関係なく、同じ参照番号が付された他のエレメントと類似したエレメントである。テキストにおいて、参照番号に後続してある特定の文字指定が付された参照番号は番号と文字指定が付された特定のエレメントを意味し、ある特定の文字指定が付されていない参照番号は、参照番号に後続するいずれの文字指定とも関係なく、図面内の同じ参照番号が付されたすべてのエレメントを意味するものとする。
【００３９】
本願に表されているテーブルとデータベース構造の少なくともいずれかは単に例示として示されているものであり、種々のデータ要素間の関係の対応付けを示すことを意図するものである。当業者であれば、別のテーブルとデータベース構造の少なくともいずれかが、本発明の範囲から逸脱することなく本発明を実施するために役に立つ関係を維持できるように同様のデータ要素を記憶できることを認めるであろう。
【００４０】
図１を参照すると、携帯装置３６を利用して、商人３０に対する電子支払取引を開始し、許可するためのシステム１０に関連する例示のアーキテクチャが示されている。例示システム１０によれば、商人３０は、磁気ストライプリーダと、ユーザ入力用キーパッドとを備えることができる一般的な取引システム２６（ＣＴＳ）を含むものであってもよい。ＣＴＳシステム２６は、商人（又は他の受信エンティティ）３０に支払うべき金額を合計するために従来通りに利用される。
【００４１】
近距離場通信装置（ＮＦＣ装置）１６は携帯装置３６からの電子取引情報を受け入れる手段としてＣＴＳシステム２６に結合することができる。ＮＦＣ装置１６は取引開始信号１２を出力することができる。取引開始信号１２は、取引の決済に何が必要かを示す取引情報フィールド１２ａと、（例えば電子クーポンの承認、提携関係の承認、会員資格、又は他の種類のディスカウント、会員資格、ポイント又は同様のプログラム口座、並びに、例えば承認済みのクレジットカードの種類のような承認済み支払の種類などの）取引の決済のために利用可能な複数の取引決済オプションを示す取引決済オプションフィールド１２ｂとを含むことができる。取引開始信号１２は、（購入された商品項目などの）取引に関与した商品項目のリスト及び取引に関与した項目数をさらに有するものであってもよい。
【００４２】
一般に、移動電話機、ＰＤＡ、又は同様の対応する移動通信装置のような移動通信装置において携帯装置３６を具現化することができる。処理中、携帯装置３６は、ｉ）取引開始信号１２を受信する。ｉｉ）グラフィック又はテキストフォーマットの形で複数の取引用オプションインジケータ４２を表示画面４０に表示する。ｉｉｉ）表示取引用オプションインジケータ４２の間でスクロールを行うために第１のキースイッチ４６ａ及び第２のキースイッチ４６ｂ（又は図６に示すようなサムホイール１００の回転）の使用を可能にする。ｉｖ）取引用オプションインジケータ４２のうちの１つの（又は少なくとも１つの）インジケータを選択するために第３のキースイッチ４８（又はサムホイール１００の押下）の使用を可能にする。ｖ）ＮＦＣ装置１６へ戻る取引応答信号１３を生成する。取引応答信号１３は取引用オプションインジケータ４２のうちの選択された１つのインジケータに関連づけられた口座についての口座情報を含むものであってもよい。さらに、取引用オプションインジケータ４２のうちの選択された１つのインジケータに関連づけられた口座が支払口座であれば、取引応答信号１３は、商人（又は他の受信エンティティ）がこのような支払口座からの引出しを行う電子支払取引を開始する許可をさらに含むことができる。
【００４３】
携帯装置３６は、（取引用アプリケーション５２及び種々の周辺機器システム４３を動作させるためのドライバを含む）アプリケーション４７を実行するプロセッサ４１、周辺機器システム４３、及び口座データベース５５及び取引管理用データベース５３を記憶するメモリ４９（このメモリはフラッシュメモリ又は別の不揮発性メモリであってもよい）を含むことができる。
【００４４】
さらに、携帯装置３６は、携帯装置３６が非アクティブ状態になったとき、バッテリ寿命を保護するために、プロセッサ４１及び周辺機器システム４３が低出力状態に入ることができるようにする公知の電力管理回路３９を含むことができる。本発明の実現を目的として、電力管理回路３９は、プロセッサ４１及び周辺機器システム４３を駆動して、低出力状態からアクティブな状態へ復旧させ、次いで、ＮＦＣシステム１６からの取引開始信号１２を検出した際に、取引用アプリケーション５２の実行指令を開始することができる。
【００４５】
周辺機器システム４３は、ＣＴＳ２６のＮＦＣ装置１６と通信を行う近距離場通信（ＮＦＣ）システム３８及びユーザインタフェースを含むことができる。ユーザインタフェースは、ディスプレイ４０、キーパッド４４、及び第１及び第２のキースイッチ４６ａ、４６ｂのような他のプログラム可能なキースイッチ（これらのキースイッチは、移動電話機がアクティブな電話セッション状態にあるとき、通常音量の調節に用いることができる）、並びに、追加のスイッチ４８（これらのキースイッチは通常移動電話機のデジタルカメラ又は音楽用プレイヤをアクティブにするために用いられる）を含むことができる。キースイッチ４６ａ、４６ｂは取引用オプションインジケータのスクロールを行うことができ、そして、追加スイッチ４８は、移動電話機が取引を行っているとき、取引用オプションインジケータの選択を行うことができる。
【００４６】
上記とは別に、ユーザインタフェースは、キースイッチ４６ａ、４６ｂと追加のキースイッチ４８の代わりに又はこれらのキースイッチに加えて、ディスプレイ４０、キーパッド４４、及び他のプログラム可能なユーザインタフェース制御装置を含むことができる。他のプログラム可能なユーザインタフェース制御装置はサムホイール１００（図６）であってもよい。サムホイール１００は、移動電話機がアクティブなオーディオ状態にあるとき、音量調節を行うことが可能であると共に、移動電話機が取引を行っているとき、取引用オプションインジケータのスクロールを行うことができる。サムホイール１００は、取引用オプションインジケータの選択用サムホイールを押下するとアクティブにすることができるプログラム可能なスイッチをさらに含むものであってもよい。
【００４７】
さらに別の代替例として、その他のプログラム可能なユーザインタフェース制御装置は、キーパッド４４の代わりに配置されているか、ディスプレイ４０の一部（オーバーレイ）として配置されているかのいずれかのタッチパネル式パネルを含むことができる。このようなタッチパネル式パネルは、移動電話機がアクティブなオーディオ状態にあるとき、音量調節を行うことが可能であると共に、移動電話機が取引を行っているとき、取引用オプションインジケータのスクロールを行うことができる。タッチパネル式パネルはさらに取引用オプションインジケータの選択を行うことも可能である。
【００４８】
取引用アプリケーション５２は構成機能５２ａ及び取引機能５２ｂを含むことができる。構成機能５２ａは、口座データベース５５内の複数の口座７６のそれぞれの口座に関連する口座情報を記憶する処理を容易に行えるようにするものである。
【００４９】
電子クーポン７６ａの場合、構成アプリケーション５２ａは、このような電子クーポン７６ａを購入に適用するために、電子クーポンに従来関連づけられ、かつ、商人（又は他の受信エンティティ）へ渡す必要があった通し番号、クーポン適用対象の商品項目の識別子、期限切れの日付、及び、その他の情報としてこのような情報を取得し、記憶する機能を含むことができる。
【００５０】
提携関係、会員資格、又は別の種類のディスカウント、会員資格、ポイントあるいは同様のプログラム口座７６ｂの場合、構成アプリケーション５２ａは、このような口座に購入を適用するために、このような口座に従来関連づけられ、かつ、商人（又は他の受信エンティティ）へ渡す必要があった特定のプログラムの識別子、口座識別子、口座保有者名、及びその他の情報としてこのような情報を取得し、記憶する機能を含むことができる。
【００５１】
支払口座７６ｃの場合、構成アプリケーション５２ａは、支払口座から支払取引を開始するために必要なこのような口座情報を取得し、記憶する機能を含むことができる。例えば、支払口座が通常のクレジット又はチャージカード口座であれば、口座情報は（銀行などの）発行者識別子、並びに、口座番号、期限切れの日付、口座保有者名及びセキュリティコードを含むことができる。
【００５２】
構成機能５２ａは取引管理用データベース５３内の選択ルール６０及びソートルール６８のユーザ構成も容易にするものである。選択ルール６０及びソートルール６８は、取引管理用データベース５３において構成されるとすぐに、取引機能５２ｂにより用いられるが、それは以下を意図するものである。ｉ）取引用オプションインジケータ４２を表示する対象口座データベース５５に記憶すべきサブセットの口座７６を決定する。ｉｉ）取引用オプションインジケータ４２を表示するソート順を決定する。
【００５３】
図１と共に図２ａへ少しの間目を向けると、構成機能５２ａの例示の選択ルール構成制御装置５７がアクティブにされる。選択ルール構成制御装置５７は複数の選択ルール６０のユーザによるアクティブ化を行う。選択ルール構成制御装置５７は選択ルールライブラリ５６及びアクティブ選択ルールリスト６２を含む。選択ルールライブラリ５６には、ユーザがアクティブにすることができる個々の選択ルール５８のリストが含まれている。アクティブ選択ルールリスト６２には、取引用オプションインジケータ４２を表示する対象サブセットの口座７６を決定するために取引機能５２ｂによって用いられる選択ルール６０のリストが含まれている。
【００５４】
処理中、構成機能５２ａは、選択ルールライブラリ５６からアクティブ選択ルールリスト６２へ選択ルール５８をペーストするようにプロンプトでユーザの指示を促す。選択ルールライブラリ５６とアクティブ選択ルールリスト６２の双方を表示できる適切なサイズと解像度のディスプレイを備えたデスクトップ型又はノート型コンピュータシステムにおいて選択ルール構成制御装置５７が実行される場合、この制御装置は、選択ルールライブラリ５６からアクティブ選択ルールリスト６２へ選択ルール５８をペーストするために標準的マウス制御を可能にすることによって、選択ルール６０をユーザによりアクティブにすることができる。携帯装置３６とリンクされたデスクトップ型又はノート型コンピュータにおいて実行するアプリケーションは、ユーザ構成を携帯装置３６へ渡すために役立てることができる。
【００５５】
上記とは別に、選択ルールの構成が携帯装置において行われる場合、選択ルールライブラリ５６とアクティブ選択ルールリスト６２とのうちの一方のみのライブラリを表示することによって、並びに、ユーザが２つの表示間でトグルを行って、選択ルールライブラリ５６からアクティブ選択ルールリスト６２へ選択ルール５８をペーストできるように、キーパッド４４の定義済みのキーを用いることによって、任意の特定の時点において選択ルール構成制御装置５７をさらに好便に実装することが可能となる。
【００５６】
１つの例示の選択ルールとして「適格クーポン（Qualifying Coupons）」ルール５８ａがある。適格クーポンルール５８ａがアクティブな選択ルール６０であれば、取引用アプリケーション５２は電子クーポン７６ａを含む（かつこの電子クーポンのみを含む）ことになり、携帯装置３６のユーザが利用できる取引オプションとして電子クーポン７６ａを購入に適用することが可能となる（例えばクーポン７６ａのインジケータは取引用オプションインジケータ４２の表示の中に含まれることになる）。
【００５７】
別の例示の選択ルールとして「適格プログラム」ルール５８ｂがある。適格プログラムルール５８ｂがアクティブな選択ルール６０であれば、取引用アプリケーション５２は、当該提携関係、会員資格、又は別の種類のディスカウント、会員資格、ポイント、あるいは、携帯装置３６のユーザに利用できる取引オプションとして購入を関連付けることができる対象となる同様のプログラム口座７６ｂを含む（かつこれらのみを含む）ことになる。（例えば口座のインジケータは取引用オプションインジケータ４２の表示の中に含まれることになる）。
【００５８】
別の例示の選択ルールとして「適格支払タイプ（Qualifying Payment Type）」ルール５８ｃがある。適格支払タイプルール５８ｃがアクティブな選択ルール６０であれば、取引用アプリケーション５２は、携帯装置３６のユーザに利用できる取引オプションとして商人（又は他の受信エンティティ）３０が快く受け入れるタイプの支払口座７６ｃを含む（かつこの口座のみを含む）ことになる。（例えば口座のインジケータは取引用オプションインジケータ４２の表示の中に含まれることになる）。
【００５９】
別の例示の選択ルールとして「資金供給力（Funds Availability）」ルール５８ｄがある。資金供給力ルール５８ｄがアクティブな選択ルール６０であれば、取引用アプリケーション５２は、携帯装置３６のユーザに利用可能な取引オプションとして支払いを行うことができる十分な資金（口座の差引残高か、利用可能なクレジットのいずれか）を有する支払口座７６ｃを含み、かつ、この支払口座のみを含むことになる。（例えば口座のインジケータは取引用オプションインジケータ４２の表示の中に含まれることになる）。
【００６０】
別の方法について述べると、取引用アプリケーション５２は、その表示対象の取引用オプションインジケータ４２を、複数の選択済みサブセットの口座７６の１つの口座に関連づけられたインジケータ４２に限定する。選択済みサブセットには、以下に記載のものを含む口座７６のみが含まれることになる。ｉ）クーポン７６ａに関しては、クーポン利用ルール及び取引開始信号１２のような購入商品項目の指示に基づいて購入に適用可能なクーポン７６ａ。ｉｉ）提携関係、会員資格、又は別の種類のディスカウントに関しては、会員資格、ポイントあるいは同様のプログラム口座７６ｂであって、取引開始信号１２で示されるプログラム承認情報に基づいて購入の関連付けの対象となる口座７６ｂ。ｉｉｉ）支払口座７６ｃに関しては、取引開始信号１２で特定されるような商人によって承認された支払タイプに関連づけられるか、支払取引用として利用可能な十分な資金を有しているかの少なくともいずれかの支払口座７６ｃ。
【００６１】
別の例示の選択ルールとして「ユーザ定義選択」ルール５８ｅがある。ユーザ定義選択ルール５８ｅがアクティブな選択ルール６０であれば、取引用アプリケーション５２は、商人（又は他の受信エンティティ）３０を含むエンティティクラスが利用できるように、選択済みサブセットの口座７６をユーザが事前に選択した口座７６に限定する（又はさらに限定する）。
【００６２】
図１と共に図２ｂへ少しの間目を向けると、例示のソートルール構成制御装置６３が示されている。ソートルール構成制御装置６３は、複数のソートルール６８のユーザによるアクティブ化、並びに、複数のソートルール６８の優先順位を取得する。ソートルール構成制御装置６３はソートルールライブラリ６４及びアクティブソートルールリスト７０を含む。ソートルールライブラリ６４にはユーザがアクティブにすることができる個々のソートルール６６のリストが含まれている。アクティブソートルールリスト７０にはアクティブソートルール６８のリストが含まれている。
【００６３】
処理中、構成機能５２ａは、ソートルールライブラリ６４からアクティブソートルールリスト６８へソートルール６６をペーストするようプロンプトでユーザの指示を促す。さらに、制御装置７２ａ及び７２ｂはアクティブソートルール７０の優先順位を制御する。アクティブルール構成制御装置５７の場合のように、ソートルール構成制御装置６３はデスクトップ型又はノート型コンピュータにおいて実装可能であり、構成されたソートルール６８は携帯装置３６へ転送されるか、携帯装置３６に直接実装される。
【００６４】
例示のソートルールとして「クーポン優先順位」ルール６６ａがある。クーポン優先順位６６ａがアクティブなソートルール６８であれば、取引用アプリケーション５２は、上記の適格クーポン７６ａを表す取引用オプションインジケータ４２を表示するか、取引用オプションインジケータ４２を表示する前に選択されたサブセットの口座７６の範囲内の別の口座７６に関連づけられる。
【００６５】
別の例示のソートルールとして「プログラム優先順位」ルール６６ｂがある。プログラム優先順位ルール６６ｂがアクティブなソートルール６８であれば、取引用アプリケーション５２は、上記のプログラム７６ｂを表す取引用オプションインジケータ４２を表示するか、取引用オプションインジケータ４２を表示する前に、選択されたサブセットの口座７６の範囲内の別の口座７６に関連づけられる。
【００６６】
別の例示のソートルールとして「ユーザ一般ソート」ルール６６ｃがある。ユーザ一般ルール６６ｃがアクティブなソートルール６８であれば、取引用アプリケーション５２は選択済みの口座７６に関連づけられた取引用オプションインジケータ４２をユーザが構成したソート順に表示する。このようなソート順は、商人又はエンティティクラスに固有のソート順ではないという点で商人に依存するものではない。
【００６７】
別の例示のソートルールとして「ユーザクラス固有ソート」ルール６６ｄがある。ユーザクラス固有ルール６６ｄがアクティブなソートルール６８であれば、取引用アプリケーション５２は選択口座に関連づけられた取引用オプションインジケータ４２をユーザが構成したソート順に表示する。そして、このようなソート順は商人（又は他の受信エンティティ）３０を含むエンティティクラスに関連づけられる。
【００６８】
別の例示のソートルールとして「一般学習ソート（General Learned Sort）」ルール６６ｅがある。一般学習ソートルール６６がアクティブなソートルール６８であれば、取引用アプリケーション５２は、選択された口座７６のそれぞれの口座に関連づけられた取引用オプションインジケータ４２を、（支払取引などの）取引に関連する選択された口座７６のそれぞれの口座の利用履歴によって決定されたソート順に表示する。このようなソート順は、商人又はエンティティクラスに固有のソート順ではないという点で商人に依存するものではない。
【００６９】
別の例示のソートルールとして「クラス固有学習ソート」ルール６６ｆがある。クラス固有学習ソート（Class Specific Learned Sort）ルール６６ｆがアクティブなソートルール６８であれば、取引用アプリケーション５２は、商人３０（又は他の受信エンティティ）、あるいは、商人３０（又は他の受信エンティティ）を含む同じエンティティクラスの範囲内の別の商人又はエンティティと取引を行うための選択済みの口座７６のそれぞれの口座の利用履歴により決定されたソート順に、選択済みの口座７６に関連づけられた取引用オプションインジケータ４２を表示する。
【００７０】
図３へ少しの間目を向けると、取引管理用データベース５３の例示の構造が示されている。図３によって表されているこのデータベース構造は単に例示の構造であると理解すべきである。当業者であれば理解できるように、本発明の範囲から逸脱することなく別のデータベース構造を選択することも可能である。
【００７１】
データベース５３は一般関連テーブル７４と、複数のエンティティクラス関連テーブル９０とを備える。エンティティクラス関連テーブル９０の各テーブルは、エンティティクラステーブル８６のレコードに記憶されている複数の特定のエンティティクラス８８のうちの１つのクラスに関連づけられる。個々のエンティティクラスは名称によって又は種別によって１以上の商人を表すことができる。例えば、エンティティクラス１はある特定の商人であってもよい。エンティティクラス２は、ガソリンスタンド、ドラッグストア、食料品店又は書店のような或る種の基準を満たす１グループの商人であってもよい。
【００７２】
データを記憶するエンティティクラス関連テーブル９０の各テーブルは取引用アプリケーション５２によって用いられて、テーブル９０が関連付けられているエンティティクラス８８に固有の選択基準又はソート基準の実装を含む選択ルール及びソートルールが適用される。
【００７３】
一般関連テーブル７４は取引用アプリケーション５２によって用いられて、一般的ではない（例えば特定のエンティティのいずれのエンティティクラスにも固有のものではない）選択基準又はソート基準の実装を含む選択ルール及びソートルールが適用される。
【００７４】
上述したように、資金供給力ルール５８ｄがアクティブな選択ルール６０であれば、取引用アプリケーション５２は、支払口座７６ｃに関して、表示対象取引用オプションインジケータ４２を、支払いを行うことができる十分な資金（口座の差引残高か、利用可能なクレジットのいずれか）を有する支払口座７６ｃに関連づけられた取引用オプションインジケータに限定する。したがって、取引用アプリケーション５２は、提案される支払金額を上回る資金供給力８４を示す値を（一般関連テーブル７４の中に）有する口座に関連づけられた取引用オプションインジケータに表示対象取引用オプションインジケータ４２を限定することができる。資金供給力８４を示す値は、クレジット又はチャージ口座用として利用可能なデビット口座又はクレジットにおける差引残高を表すことができる。
【００７５】
上述したように、ユーザ定義選択ルール５８ｅがアクティブな選択ルール６０であれば、取引用アプリケーション５２は、表示対象取引用オプションインジケータ４２を、商人（又は他の受信エンティティ）３０を含むエンティティクラスに対して支払いを行うためにユーザが事前に選択した口座に関連づけられた取引用オプションインジケータに限定することになる。したがって、取引用アプリケーション５２は、（商人（又は他の受信エンティティ）３０に対応するエンティティクラス関連テーブル９０の中に含まれている）ユーザによる選択フィールド９２内のインジケータに関連づけられた取引用オプションインジケータに表示対象取引用オプションインジケータ４２を限定することができる。上記選択フィールド９２は、ユーザが、このようなエンティティクラスのために選択した口座としてこの口座を含めることを（構成によって）選択したことを示すフィールドである。
【００７６】
上述したように、ユーザ一般ソートルール６６ｃがアクティブなソートルール６８であれば、取引用アプリケーション５２は、選択口座に関連づけられた取引用オプションインジケータ４２を、ユーザにより構成された基本設定の順序で表示する。したがって、取引用アプリケーション５２は、一般関連テーブル７４のユーザ一般ソートフィールド８２に指定されたソート順に、選択済みの口座７６に関連づけられた取引用オプションインジケータ４２を表示することが可能となる。
【００７７】
上述したように、ユーザクラス固有ソートルール６６ｄがアクティブなソートルール６８であれば、取引用アプリケーション５２は、商人（又は他の受信エンティティ）３０を含むエンティティクラスとの取引時に用いるためにユーザが構成したソート順に、選択口座に関連づけられた取引用オプションインジケータ４２を表示する。したがって、取引用アプリケーション５２は、商人３０（又は他の受信エンティティ）に対応するエンティティクラス関連テーブル９０のユーザソートフィールド９４に指定されたソート順に、選択済みの口座７６に関連づけられた取引用オプションインジケータ４２を表示することができる。
【００７８】
上述したように、一般学習ソートルール６６ｅがアクティブなソートルール６８であれば、取引用アプリケーション５２は、取引時の口座の利用履歴によって決定されたソート順に、選択口座に関連づけられた取引用オプションインジケータ４２を表示する。したがって、取引用アプリケーション５２は、一般関連テーブル７４の利用スコアフィールド８０内の値によって決定されるソート順に、選択口座に関連づけられた取引用オプションインジケータ４２を表示することができる。支払口座が利用される度に、利用スコアフィールド８０内の値を更新して、支払口座の利用履歴を反映するようにすることが可能となる。
【００７９】
上述したように、クラス固有学習ソートルール６６ｆがアクティブなソートルール６８であれば、取引用アプリケーション５２は、商人（又は他の受信エンティティ）３０、あるいは、商人（又は他の受信エンティティ）３０を含む同じエンティティクラス内の別の商人又はエンティティに対して支払いを行うために支払口座の利用履歴によって決定されるソート順に、選択口座に関連づけられた取引用オプションインジケータ４２を表示する。したがって、取引用アプリケーション５２は、商人３０に対応するエンティティクラス関連テーブル９０の利用スコアフィールド９１内の値によって決定されるソート順に、選択口座に関連づけられた取引用オプションインジケータ４２を表示することが可能となる。支払口座が利用される度に、利用スコアフィールド９１内の値を更新して、支払口座の利用履歴を反映できるようにすることが可能となる。
【００８０】
１つの例示の実施形態では、利用スコアフィールド８０及び利用スコアフィールド９１の各スコアフィールド内の値は、支払口座が所定の期間内に利用された回数を表す値であってもよい。さらに詳細には、利用スコアフィールド８０内の値は所定の期間中に支払口座が利用された回数全体を表すことができる。そして、個々のエンティティクラス関連テーブル９０の利用スコアフィールド９１内の値は、適用可能なエンティティクラス内の商人において所定期間中に支払口座が利用された回数を表すことができる。
【００８１】
図４は、本発明に従って取引を行うための携帯用支払システム３６の例示の動作を表すはしご図である。図１と共に図４を参照すると、商人３０は、従来の方法でＣＴＳシステム２６においてユーザに対する販売額を合計する。
【００８２】
ステップ１０２は、取引開始信号１２を生成するＣＴＳ１６に関連づけられたＮＦＣシステム１６と、取引開始信号１２を検出する携帯装置３６のＮＦＣシステム３８とを表す。ステップ１０４は、電力管理回路３９へのシグナリングを行って、低出力状態からアクティブな状態へ携帯装置３６を移行させると共に、取引用アプリケーション５２を開始する（ステップ１０６）ＮＦＣシステム３８を表す。ステップ１０８は、取引情報フィールド１２ａ及び取引決済オプションフィールド１２ｂを取引用アプリケーション５２へ渡す通信システム３８を表す。
【００８３】
ステップ１１０は、取引用オプションインジケータ４２を表示対象とする、口座データベース５５に記憶されているサブセットの口座７６を選択するためにアクティブ選択ルール６０を適用する取引用アプリケーション５２（取引機能５２ｂ）を表す。図２ａと共に図５を簡単に参照すると、個々のアクティブ選択ルール６０が口座情報を口座データベース５５に記憶される対象口座７６に対して適用されて、口座７６の選択済みサブセット１０２が決定される。個々の選択ルールが（クーポン７６ａ、プログラム口座７６ｂ又は支払口座７６ｃなどの）異なるタイプの口座に対して処理を行ったり、（例えば支払口座７６ｃを十分な資金を持つ支払口座に狭めるような）サブセットの口座を狭めたりすることに起因して、アクティブ選択ルール６０を適用する順序は重要な問題ではない場合もある。
【００８４】
図４に戻ると、ステップ１１２は、取引管理用データベース５３のアクティブソートルール６８を適用して、取引用オプションインジケータ４２が表示される優先順位を選択するようにする取引用アプリケーションを表す。
【００８５】
図２ｂと共に図５を簡単に参照すると、個々のアクティブソートルール６８は選択済みサブセット１０２の範囲内の口座７６に対して適用されて、このような口座７６の優先順位１０４が決定される。アクティブソートルール６８はソートルール構成制御６３として設定されているようなソート順に適用される。したがって、適用される第１のソートルール６８は優先順位を決定し、適用される次のソートルール６８は、（例えば、第１のソートルールが当てはまらないか、同じ順位が存在するなどの理由で）第１のソートルール６８の適用によって優先順位が決定できない口座７６のみをソートするために動作することになる。
【００８６】
図４に戻ると、ステップ１１６は、取引用オプションインジケータ４２のうちの１つの（又は少なくとも１つの）インジケータをユーザが選択する取引用アプリケーションを表す。図１を参照して上述したように、取引用オプションインジケータ４２のうちの１つのインジケータをユーザが選択するステップは以下のステップによるものであってもよい。ｉ）取引用オプションインジケータ４２のリストをディスプレイ４０に表示するステップ。ｉｉ）表示されている取引用オプションインジケータ４２の中をスクロールするために一対のキー４６ａ、４６ｂの利用を可能にするステップ。ｉｉｉ）商人（又は他の受信エンティティ）３０との取引を終了するために取引用オプションインジケータ４２のうちの１つのインジケータを選択する選択キー４８の利用を可能にするステップ。
【００８７】
しかし、図６を簡単に参照すると、携帯装置３６が、複数の取引用オプションインジケータ４２を表示するにはサイズと解像度の少なくともいずれかの点で不十分なディスプレイ９８を外面に備えた「折り畳み」構成のものである場合、取引用オプションインジケータ４２のうちの１つのインジケータのユーザによる選択を行うステップは以下のステップによるものであってもよい。ｉ）選択ルール６０及びソートルール６８に基づいて取引用オプションインジケータ４２の順序制御を行うステップ。ｉｉ）一連の取引用オプションインジケータから得られる取引用オプションインジケータ４２のうちの単一のインジケータをディスプレイ９８に表示するステップ。ｉｉｉ）一連の取引用オプションインジケータ４２のうちのいずれを表示するかをスクロールして決めるためにサムホイール１００の回転を可能にするステップ。ｉｖ）商人（又は他の受信エンティティ）３０に対して支払いを行うために、取引用オプションインジケータ４２のうちの１つを選択するための（押下アクションによる）サムホイール１００の利用を可能にするステップ。図６と共に図５を参照すると、この図は、ディスプレイ９８が取引用オプションインジケータ４２の優先順位１０４を通してスクロールされる「ウィンドウ」となる効果を示すものである。
【００８８】
図１と共に図４へ再び戻ると、選択された取引用オプションインジケータ４２が電子クーポン７６ａに関連づけられた場合（決定ボックス１１８）、取引用アプリケーション５２はステップ１２０と１２４とを実行する。
【００８９】
ステップ１２０は、商人（又は他の受信エンティティ）３０のＣＴＳシステム２６に関連づけられたＮＦＣ装置１６へ送信される対象クーポンデータを通信システム３８へ送信する取引用アプリケーション５２を表す（ステップ１２２）。ステップ１２４は、ステップ１１４への復帰を表し、このステップ１１４において（使用済みクーポン用の取引用オプションインジケータ４２を取り除いた後の）残りの取引用オプションインジケータ４２をユーザによる選択用として表示する。
【００９０】
選択された取引用オプションインジケータ４２が、決定ボックス１１８において口座７６のうちの１つの口座に関連づけられた場合、取引用アプリケーション５２はステップ１２６、１３２及び１３４を実行する。ステップ１２６は、ＣＴＳシステム２６のＮＦＣ装置１６へ送信するための、選択済み支払口座７６に関連する口座情報を通信システム３８へ送信する取引用アプリケーション５２を表す（ステップ１２８）。ステップ１３２は、ユーザによる口座の選択及び利用を反映するために、取引用アプリケーションが取引管理用データベース５３において利用スコア（フィールド８０及び９１）を更新したことを表す。ステップ１３４は、取引管理用データベース５３における資金供給力を示す値を更新して、支払いを反映するようにするステップ（フィールド８４）を表す。
【００９１】
図１を再び参照すると、システム１０用の例示のアーキテクチャが携帯装置３６を利用して、以下のステップにより、商人側のＣＴＳにおいて支払取引を開始し、許可するステップを提供する。ｉ）ＮＦＣを介して取引開始信号１２を受信するステップ。ｉｉ）取引用オプションインジケータ４２を表示するための関連する口座データベース５５に記憶されているサブセットの口座７６を決定するために取引管理用データベース５３の選択ルール６０を適用するステップ。ｉｉｉ）取引用オプションインジケータ４２を表示するソート順を選択するために取引管理用データベース５３のソートルール６８を適用するステップ。ｉｖ）表示対象の取引用オプションインジケータ４２のうちの１つのインジケータの選択についてプロンプトでユーザの指示を促すステップ。ｖ）取引用オプションインジケータのうちの選択された１つのインジケータに関連づけられた支払口座から商人に対する支払いを許可するＮＦＣ装置１６へ戻る取引応答信号１３を生成するステップ。
【００９２】
或る好ましい実施形態に関連して本発明について図示し、説明したが、本明細書を読み、理解するとき、当業者の心に均等物及び変更例が思い浮かぶであろうことは明らかである。本発明は、すべてのこのような均等物並びに変更例を含むものであり、さらに、請求項の範囲によってのみ限定されるものである。
【図１】
2010505192.tif 000003
【図２ａ】
2010505192.tif 000004
【図２ｂ】
2010505192.tif 000005
【図３】
2010505192.tif 000006
【図４】
2010505192.tif 000007
【図５】
2010505192.tif 000008
【図６】
2010505192.tif 000009
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
自装置に関連づけられた口座から取引を行うための携帯装置であって、
受信エンティティの取引システムと通信を行う通信システムと、
ユーザインタフェースと、
複数の口座の個々の口座に関連するアカウント情報を記憶するメモリと、
取引用アプリケーションであって、
前記複数の口座のうちの選択されたサブセットの口座を決定するために、少なくとも１つの所定の選択ルールを前記複数の口座に対して自動的に適用し、
各インジケータが前記複数の口座のうちの前記選択されたサブセットのうちの１つの口座を表すような複数の取引用オプションインジケータを表示し、
前記複数の取引用オプションインジケータのうち少なくとも１つの取引用オプションインジケータに対するユーザ選択を取得し、
前記受信エンティティの前記取引システムとデータを交換して、前記複数の取引用オプションインジケータのうち選択された前記少なくとも１つの取引用オプションインジケータに関連づけられた取引口座を利用して、前記受信エンティティとの取引を開始するために、前記通信システムを動作させる、
取引用アプリケーションと
を備えることを特徴とする携帯装置。
【請求項２】
前記取引用アプリケーションは、前記受信エンティティによって承認された複数の取引決済オプションの各オプションの指示を前記受信エンティティの前記取引システムから受信し、
前記少なくとも１つの所定の選択ルールは、前記複数の口座のうちの選択されたサブセットの口座を、前記受信エンティティによって承認された取引決済オプションに対応する口座のみに限定することを含む
ことを特徴とする請求項１に記載の携帯装置。
【請求項３】
前記取引用アプリケーションは前記取引の決済要件の指示を受信し、
前記少なくとも１つの所定の選択ルールは、前記取引の決済要件を満たす支払口座のみを、前記複数の口座のうちの前記選択されたサブセットの口座の中に包含させることを含む
ことを特徴とする請求項２に記載の携帯装置。
【請求項４】
前記取引を決済要件は未支払いの支払金額の指示を含み、
前記複数の口座は支払口座を含み、
前記少なくとも１つの所定の選択ルールは、前記未払いの支払金額を上回る利用可能なクレジットを有する支払口座のみを前記複数の口座のうち前記選択されたサブセットの口座の中に包含させることを含む
ことを特徴とする請求項３に記載の携帯装置。
【請求項５】
前記少なくとも１つの所定の選択ルールは、前記複数の口座のうちの選択されたサブセットの口座を、取引管理データベース内の、前記受信エンティティに関連づけられた口座のみに限定することを含むことを特徴とする請求項２に記載の携帯装置。
【請求項６】
前記取引用アプリケーションは、前記複数の取引用オプションインジケータを優先順位に従ってさらに表示し、該優先順位は、前記取引用アプリケーションが前記複数の口座のうちの前記選択されたサブセットの口座に対して少なくとも１つの所定のソートルールを適用することで決定される、ことを特徴とする請求項２乃至５のいずれか１項に記載の携帯装置。
【請求項７】
前記所定のソートルールは、前記取引用オプションインジケータの前記優先順位を、前記受信エンティティと、前記取引管理データベース内の前記口座との間の関連付けに基づいて機能させるルールであることを特徴とする請求項６に記載の携帯装置。
【請求項８】
前記受信エンティティと、前記取引管理データベース内の前記口座との間の前記関連付けは、前記携帯機器の取引活動の追跡によって得られるスコア値であることを特徴とする請求項６に記載の携帯装置。
【請求項９】
前記携帯装置は折り畳み構成の移動電話機であり、前記ユーザインタフェースは、
前記移動電話機が閉じた構成にあるとき、筐体の外側に設けられたユーザの目に見える外部ディスプレイと、
前記移動電話機が前記閉じた構成にあるとき、ユーザにより操作可能な前記筐体の外側にある複数のユーザインタフェース制御装置と、を備え、
前記複数の取引用オプションインジケータの表示では、前記取引用アプリケーションが、
スクロール機能を動作させて、前記取引用オプションインジケータの各インジケータを順次表示するように前記外部ディスプレイを駆動すべく、前記ユーザインタフェース制御装置を駆動させ、
選択機能を動作させて、前記取引用オプションインジケータのうちの少なくとも１つのインジケータに対するユーザ選択を取得するために、前記ユーザインタフェース制御装置を駆動させる
ことを特徴とする請求項１乃至８のいずれか１項に記載の携帯装置。
【請求項１０】
口座から取引を行うための携帯装置を動作させる方法であって、
複数の口座の個々の口座に関連する口座情報を記憶する口座データベースを維持するステップと、
前記複数の口座のうちの選択されたサブセットの口座を決定するために、少なくとも１つの所定の選択ルールを前記複数の口座に対して自動的に適用するステップと、
各インジケータが前記複数の口座のうちの選択されたサブセットの口座のうちの１つの口座を表すような複数の取引用オプションインジケータを表示するステップと、
前記複数の取引用オプションインジケータのうち少なくとも１つの取引用オプションインジケータに対するユーザ選択を取得するステップと、
受信エンティティの取引システムへの通信信号を生成するステップであって、該通信信号は、選択された前記少なくとも１つの取引用オプションインジケータについての前記口座情報を含む、ステップと、
を有することを特徴とする方法。
【国際調査報告】
2010505192.tif 000010